(57)【要約】本発明は、レンズ鏡筒のレンズマウント（２１）側の端面に配置され、電子回路装置を搭載した回路基板と、レンズマウント（２１）に電気的に絶縁した状態で配置され、回路基板の電子回路装置とカメラ本体内の電子回路装置とを接続するための複数の接続端子と、この複数の接続端子と回路基板とを接続するための配線部材とを備え、かつ配線部材は、回路基板のグラウンドパターンに接続されるとともに、複数の接続端子のうちグラウンド端子となる接続端子に電気的に接続されるグラウンド接続部（３５ｆ）と、このグラウンド接続部（３５ｆ）をレンズマウント（２１）の金属部分に電気的に接地するための延長配線パターン（３５ｅ）を備えた構成である。
2011086916.tif 000002
【特許請求の範囲】
【請求項１】
ボディマウントを備えたカメラ本体と、前記ボディマウントに勘合する金属製のレンズマウントをレンズ鏡筒に取り付けた交換レンズユニットとを有するデジタルカメラにおいて、前記交換レンズユニットは、前記レンズ鏡筒のレンズマウント側の端面に配置され、電子回路装置を搭載した回路基板と、前記レンズマウントに電気的に絶縁した状態で配置され、前記回路基板の電子回路装置と前記カメラ本体内の電子回路装置とを接続するための複数の接続端子と、前記複数の接続端子と前記回路基板とを接続するための配線部材とを備え、かつ前記配線部材は、前記回路基板のグラウンドパターンに接続されるとともに、前記複数の接続端子のうちグラウンド端子となる接続端子に電気的に接続されるグラウンド接続部と、前記グラウンド接続部を前記レンズマウントの金属部分に電気的に接地するための延長配線パターンとを備えたことを特徴とするデジタルカメラ。
【請求項２】
前記レンズマウントは前記レンズ鏡筒の端面にネジにより固定し、かつ前記配線部材は前記ネジが電気的に接触する導電パッドを有するとともに、その導電パッドに前記延長配線パターンを接続した請求項１記載のデジタルカメラ。
【請求項３】
前記レンズマウントは前記レンズ鏡筒の端面にネジにより固定し、かつ前記配線部材は前記ネジに隣接するように設けた導電接触部を有するとともに、その導電接触部に前記延長配線パターンを接続し、前記レンズマウントをレンズ鏡筒に固定することにより前記配線部材の導電接触部をレンズマウントの金属部分に電気的に接触させた請求項１記載のデジタルカメラ。
【請求項４】
前記回路基板は、レンズ鏡筒の端面に緩衝材により弾性支持して配置した請求項１記載のデジタルカメラ。
【請求項５】
カメラ本体のボディマウントに勘合する金属製のレンズマウントをレンズ鏡筒に取り付けた交換レンズユニットにおいて、前記レンズ鏡筒のレンズマウント側の端面に配置され、電子回路装置を搭載した回路基板と、前記レンズマウントに電気的に絶縁した状態で配置され、前記回路基板の電子回路装置と前記カメラ本体内の電子回路装置とを接続するための複数の接続端子と、前記複数の接続端子と前記回路基板とを接続するための配線部材とを備え、かつ前記配線部材は、前記回路基板のグラウンドパターンに接続されるとともに、前記複数の接続端子のうちグラウンド端子となる接続端子に電気的に接続されるグラウンド接続部と、前記グラウンド接続部を前記レンズマウントの金属部分に電気的に接地するための延長配線パターンとを備えたことを特徴とする交換レンズユニット。
【請求項６】
前記レンズマウントは前記レンズ鏡筒の端面にネジにより固定し、かつ前記配線部材は前記ネジが電気的に接触する導電パッドを有するとともに、その導電パッドに前記延長配線パターンを接続した請求項５記載の交換レンズユニット。
【請求項７】
前記レンズマウントは前記レンズ鏡筒の端面にネジにより固定し、かつ前記配線部材は前記ネジに隣接するように設けた導電接触部を有するとともに、その導電接触部に前記延長配線パターンを接続し、前記レンズマウントをレンズ鏡筒に固定することにより前記配線部材の導電接触部をレンズマウントの金属部分に電気的に接触させた請求項５記載の交換レンズユニット。
【発明の詳細な説明】
【技術分野】
【０００１】
本発明は、レンズ交換式のデジタルカメラおよび交換レンズユニットに関する。
【背景技術】
【０００２】
デジタルカメラは、撮像した撮影画像をイメージセンサーなどの撮像素子を用いてデジタル信号の画像データに変換し、内蔵メモリやメモリーカードなどの記録媒体に記録する構成を備えている。また、デジタルカメラの中には、各種レンズをユーザーの好みに応じて交換可能な構成とした一眼式デジタルカメラと呼ばれるレンズ交換式のデジタルカメラがある。【０００３】
このレンズ交換式のデジタルカメラでは、交換レンズユニットの円筒形のレンズ鏡筒の中央部にレンズが配置されるため、レンズの移動などを制御するための電子回路装置は、リング形状、もしくはその一部が欠けたような形状の回路基板に実装された構造を備えている。【０００４】
このようにレンズ交換式のデジタルカメラにおいては、交換レンズユニットの円筒形のレンズ鏡筒に、リング形状の回路基板に実装された電子回路装置が搭載されているが、回路基板の形状がリング形状で、回路基板の面積が小さいため、回路基板のグラウンドパターンの領域を広げることが困難である。この結果、電子回路装置のグラウンド電位が不安定になり、電子回路装置からの不要輻射ノイズの影響が課題となる。【０００５】
近年、ハイビジョン動画撮影に対応したレンズ交換式のデジタルカメラが脚光を浴びている。デジタルカメラにおいて、ハイビジョン動画撮影に対応するためには、単位時間当たりのオートフォーカス動作の回数を増加させる必要があり、これにより交換レンズユニットに搭載される電子回路装置の回路基板に流れるデジタル信号が高速化、すなわち信号の繰返し周波数が高くなる。この結果として、不要輻射ノイズによる影響がより課題となる。【０００６】
一方、特許文献１に示すように、交換レンズユニットにおいて、ＣＣＤ駆動回路が実装されたプリント基板をレンズ鏡筒にネジ止めして接地させ、ＣＣＤ駆動回路から発生するクロック信号に起因する不要輻射の発生を抑える構成が知られている。
【先行技術文献】
【特許文献】
【０００７】
【特許文献１】特開２００８―４６３３２号公報
【発明の概要】
【０００８】
本発明は、ボディマウントを備えたカメラ本体と、ボディマウントに勘合する金属製のレンズマウントをレンズ鏡筒に取り付けた交換レンズユニットとを有するデジタルカメラにおいて、交換レンズユニットは、レンズ鏡筒のレンズマウント側の端面に配置され、電子回路装置を搭載した回路基板と、レンズマウントに電気的に絶縁した状態で配置され、回路基板の電子回路装置とカメラ本体内の電子回路装置とを接続するための複数の接続端子と、この複数の接続端子と回路基板とを接続するための配線部材とを備え、かつ配線部材は、回路基板のグラウンドパターンに接続されるとともに、複数の接続端子のうちグラウンド端子となる接続端子に電気的に接続されるグラウンド接続部と、このグラウンド接続部をレンズマウントの金属部分に電気的に接地するための延長配線パターンとを備えている。
【０００９】
また、本発明は、カメラ本体のボディマウントに勘合する金属製のレンズマウントをレンズ鏡筒に取り付けた交換レンズユニットにおいて、レンズ鏡筒のレンズマウント側の端面に配置され、電子回路装置を搭載した回路基板と、レンズマウントに電気的に絶縁した状態で配置され、回路基板の電子回路装置とカメラ本体内の電子回路装置とを接続するための複数の接続端子と、この複数の接続端子と回路基板とを接続するための配線部材とを備え、かつ配線部材は、回路基板のグラウンドパターンに接続されるとともに、複数の接続端子のうちグラウンド端子となる接続端子に電気的に接続されるグラウンド接続部と、このグラウンド接続部をレンズマウントの金属部分に電気的に接地するための延長配線パターンとを備えている。
【００１０】
この構成により、電子回路装置を搭載した回路基板のグラウンドパターン及び接続端子のグラウンド端子は、配線部材に設けたグラウンド接続部、延長配線パターンを通して、レンズマウントの金属部分に電気的に接地され、交換レンズユニットの電子回路装置におけるグラウンド電位を安定な状態にすることができ、これによりグラウンド電位の不安定さに基づく不要輻射ノイズを低減することができる。
【図面の簡単な説明】
【００１１】
【図１】図１は本発明の一実施の形態によるデジタルカメラの外観を示す斜視図である。
【図２】図２は交換レンズユニットを取り外したカメラ本体を示す斜視図である。
【図３】図３はデジタルカメラの概略断面図である。
【図４】図４はデジタルカメラの機能ブロック図である。
【図５】図５は本発明による交換レンズユニットにおいて、レンズマウント側から見た分解して示す斜視図である。
【図６】図６は本発明による交換レンズユニットにおいて、レンズマウントをレンズ鏡筒側から見た平面図である。
【図７】図７は図６において配線部材であるフレキシブルケーブルを取り外した状態を示す平面図である。
【図８】図８は図６のＡ−Ａ線で切断した断面図である。
【図９】図９は本発明の他の実施の形態による交換レンズユニットにおいて、レンズマウントをレンズ鏡筒側から見た平面図である。
【図１０】図１０は本発明の他の実施の形態による交換レンズユニットにおいて、レンズマウントをレンズ鏡筒側から見た平面図である。
【発明を実施するための形態】
【００１２】
以下、本発明の一実施の形態によるデジタルカメラおよび交換レンズユニットについて、図面を用いて説明する。
【００１３】
図１は、本発明の一実施の形態によるデジタルカメラの外観を示す斜視図、図２は、交換レンズユニットを取り外したカメラ本体を示す斜視図、図３は、デジタルカメラの概略断面図、図４は、デジタルカメラの機能ブロック図である。
【００１４】
図１〜図４に示すように、本発明によるデジタルカメラは、カメラ本体１と、カメラ本体１に装着可能な交換レンズユニット２とを備えている。
【００１５】
カメラ本体１は、本体筐体３と、この本体筐体３の前面側に配置され、交換レンズユニット２が装着可能なボディマウント４と、本体筐体３の背面側に配置され、液晶ディスプレイなどにより構成したカメラモニタ５と、本体筐体３の背面側に配置され、表示用画像データが示す画像等を表示する電子ビューファインダー（以下、ＥＶＦという）６と、本体筐体３の上部に配置され、電源スイッチ７ａ、及びユーザーによるシャッター操作を受け付けるレリーズ釦７ｂなどからなる操作部７とを備えている。
【００１６】
また、本体筐体３内には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）によるイメージセンサー８を実装した回路基板９と、カメラコントローラー１０を含むメイン回路基板１１と、イメージセンサー８の前方に配置されるシャッターユニット１２、振動板１３、及び光学的ローパスフィルタ１４と、ボディマウント４及びカメラコントローラー１０などの各部に電源を供給する電池などからなる電源ブロック１５と、カメラコントローラー１０から送信される制御信号に基づいて、装着されたメモリーカード１６への静止画データや動画データの入出力を行うカードスロット１７とが収容されている。
【００１７】
なお、図３において、本体筐体３内に配置された金属製のメインフレーム１８は、ボディマウント４の端子支持部４ａと接続し、ボディマウント４を介して交換レンズユニット２を支持している。また、三脚を取り付けるためのネジ穴を有する三脚取付部１９は、メインフレーム１８に機械的に接続されており、ネジ穴は、本体筐体３の下面に露出している。また、イメージセンサー８を実装した回路基板９を囲むように配置された金属製の放熱部材２０は、イメージセンサー８により発生した熱の放熱を促進するための部材で、回路基板９とメイン回路基板１１との間に配置される放熱板２０ａと、放熱板２０ａの熱をボディマウント４側に伝える熱伝導部２０ｂとを有している。
【００１８】
ここで、カメラ本体１には、前から順に、ボディマウント４、シャッターユニット１２、振動板１３、光学的ローパスフィルタ１４、イメージセンサー８、回路基板９、放熱部材２０、メイン回路基板１１、カメラモニタ５が配置されている。
【００１９】
次に、カメラ本体１の主要部について、詳細に説明する。
【００２０】
まず、ボディマウント４は、図２、図３に示すように、交換レンズユニット２をカメラ本体１に装着するための部品で、交換レンズユニット２のレンズマウント２１と機械的及び電気的に接続される。このボディマウント４は、本体筐体３の前面に取り付けたリング形状の金属製のボディマウントリング４ｂと、端子支持部４ａに設けた接続端子４ｃとを有している。この接続端子４ｃは、カメラ本体１に交換レンズユニット２を装着することにより、レンズマウント２１に設けた接続端子２１ａが電気的に接続される。
【００２１】
ボディマウント４のボディマウントリング４ｂは、交換レンズユニット２に設けたレンズマウント２１の金属製のレンズマウントリング２１ｂと嵌合することにより、カメラ本体１に交換レンズユニット２を機械的に保持する。レンズマウントリング２１ｂは、いわゆるバヨネット機構によりボディマウントリング４ｂに嵌め込まれる。具体的には、レンズマウントリング２１ｂは、ボディマウントリング４ｂとの光軸まわりの回転位置関係に応じて、ボディマウントリング４ｂと嵌合していない第１の状態と、ボディマウントリング４ｂと嵌合する第２状態とをとる。第１の状態において、レンズマウントリング２１ｂは、ボディマウントリング４ｂに対して光軸方向に移動可能で、かつボディマウントリング４ｂに挿入可能である。レンズマウントリング２１ｂをボディマウントリング４ｂに挿入した状態でボディマウントリング４ｂに対して回転させると、レンズマウントリング２１ｂはボディマウントリング４ｂに嵌合する。このときのボディマウントリング４ｂとレンズマウントリング２１ｂとの回転位置関係が第２の状態である。
【００２２】
また、交換レンズユニット２がカメラ本体１に装着されている状態で、接続端子４ｃは、レンズマウント２１が有する接続端子２１ａと電気的に接触している。このように、ボディマウント４とレンズマウント２１とは、ボディマウント４の接続端子４ｃとレンズマウント２１の接続端子２１ａとを介して、電気的に接続可能である。したがって、デジタルカメラは、ボディマウント４とレンズマウント２１とを介して、カメラ本体１と交換レンズユニット２との間で、データ及び制御信号のうち少なくとも一方を送受信できる。具体的には、ボディマウント４とレンズマウント２１とは、カメラコントローラー１０と交換レンズユニット２に含まれるレンズコントローラー２２との間で、データ及び制御信号のうち少なくとも一方を送受信できる。また、ボディマウント４は、電源ブロック１５から受けた電力を、レンズマウント４を介して交換レンズユニット２全体に供給する。
【００２３】
次に、イメージセンサー８は、交換レンズユニット２を介して入射される被写体の光学像である被写体象を画像データに変換するもので、回路基板９に搭載したタイミング信号発生器（ＴＧ）９ａからのタイミング信号に基づいて動作する。生成された静止画データ及び動画データなどの画像データは、回路基板９に搭載されたＡＤコンバーター（ＡＤＣ）９ｂでデジタル信号に変換され、カメラコントローラー１０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理などである。なお、回路基板９の機能は、メイン回路基板１１に搭載してもよい。
【００２４】
イメージセンサー８で取得された動画データは、スルー画像の表示にも用いられる。ここで、スルー画像とは、動画データのうちメモリーカード１６にデータを記録されない画像で、動画像または静止画像の構図を決めるためにカメラモニタ５及び／またはＥＶＦ６に表示される。
【００２５】
次に、カメラコントローラー１０は、メイン回路基板１１に搭載されており、カメラ本体１の各部を制御するとともに、交換レンズユニット２を制御するための信号をボディマウント４、レンズマウント２１を介して、レンズコントローラー２２に送信し、交換レンズユニット２の各部を間接的に制御する。また、カメラコントローラー１０は、ボディマウント４、レンズマウント２１を介して、レンズコントローラー２２からの各種信号を受信する。カメラコントローラー１０は、制御動作や画像処理動作の際に、メイン回路基板１１に搭載したＤＲＡＭ１１ａをワークメモリとして使用する。
【００２６】
次に、シャッターユニット１２は、いわゆるフォーカルプレーンシャッターであり、ボディマウント４とイメージセンサー８との間に配置され、イメージセンサー８への光を遮蔽可能である。シャッターユニット１２は、後幕と、先幕と、被写体からイメージセンサー８に導かれる光の通る開口が設けられたシャッター支持枠とを有し、後幕及び先幕をシャッター支持枠の開口に進退させることにより、イメージセンサー８の露光時間を調節する。
【００２７】
次に、振動板１３は、イメージセンサー８よりも前に配置され、振動板支持部１３ａにより支持されており、イメージセンサー８への埃の付着を防ぐものである。なお、振動板支持部１３ａは、振動板１３をイメージセンサー８に対して所定の位置に配置されるように支持するもので、ボディマウント４及びシャッターユニット１２を介してメインフレーム１８に支持されている。
【００２８】
次に、光学的ローパスフィルタ１４は、交換レンズユニット２により結像する被写体像をイメージセンサー８の画素のピッチよりも粗い解像となるように被写体光の高周波成分を取り除くものである。一般的にイメージセンサー８などの撮像素子は、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生するため、光学的ローパスフィルタ１４を配置している。この光学的ローパスフィルタ１４には、赤外光をカットするためのＩＲカットフィルタ機能も持たせている。
【００２９】
次に、本発明による交換レンズユニット２について説明する。まず、交換レンズユニット２の主要な機能について、図１、図４を用いて説明する。
【００３０】
交換レンズユニット２は、樹脂製のレンズ鏡筒２ａ内に、被写体の光学像を形成するために光軸ＡＸ上に配列されたレンズ群からなる光学系と、上述したレンズマウント２１及びレンズコントローラー２２と、絞りユニット２３と、光学系のレンズ群を駆動するための駆動部２４とを有している。また、レンズ鏡筒２ａの外周部には、ズームリング２５とフォーカスリング２６とＯＩＳスイッチ２７とが設けられており、ズームリング２５とフォーカスリング２６を回転させることにより、レンズ鏡筒２ａ内のレンズの位置を調整することができる。
【００３１】
光学系は、光学系の焦点距離を変化させるためのズーム用のレンズ群２８と、光学系で形成される被写体像のイメージセンサー８に対するぶれを抑制するためのＯＩＳ（Ｏｐｔｉｃａｌ  Ｉｍａｇｅ  Ｓｔａｂｉｌｉｚｅｒ）用のレンズ群２９と、光学系がイメージセンサー８上に形成する被写体像のフォーカス状態を変化させるためのフォーカス用のレンズ群３０とを有している。絞りユニット２３は、光学系を透過する光の量を調整する光量調整部材で、具体的には、光学系を透過する光の光線の一部を遮蔽可能な絞り羽根と、絞り羽根を駆動する絞り駆動部とを有している。駆動部２４は、レンズコントローラー２２の制御信号に基づいて、光学系の各レンズ群を駆動するもので、光学系の各レンズ群の位置を検出するための検出部を有している。
【００３２】
また、レンズコントローラー２２は、カメラコントローラー１０から送信される制御信号に基づいて、交換レンズユニット２全体を制御する。レンズコントローラー２２は、駆動部２４の検出部によって検出された光学系の各レンズ群の位置情報を受信して、カメラコントローラー１０に送信する。カメラコントローラー１０は、受信した位置情報に基づいて駆動部２４を制御するための制御信号を生成し、レンズコントローラー２２に送信する。レンズコントローラー２２は、カメラコントローラー１０が生成した制御信号を駆動部２４に伝え、駆動部２４は制御信号に基づいてレンズ群２８、２９、３０の位置を調節する。一方、カメラコントローラー１０は、イメージセンサー８が受けた光の量、静止画撮影を行うのか動画撮影を行うのか、絞り値が優先的に設定される操作がされているかなどの情報に基づいて、絞りユニット２３を動作させるための制御信号を生成する。このとき、レンズコントローラー２２は、カメラコントローラー１０で生成された制御信号を絞りユニット２３に中継する。
【００３３】
なお、レンズコントローラー２２は、光学系の各レンズ群２８、２９、３０及び絞りユニット２３の駆動を行なう場合、ＤＲＡＭ２２ａをワークメモリとして使用し、フラッシュメモリ２２ｂは、レンズコントローラー２２によって使用されるプログラムやパラメータを保存している。
【００３４】
次に、交換レンズユニット２において、レンズコントローラー２２を含む電子回路装置部分の配置構造について、図５〜図８の図面を用いて説明する。
【００３５】
図５は、本発明による交換レンズユニットにおいて、レンズマウント側から見た分解して示す斜視図、図６は、本発明による交換レンズユニットにおいて、レンズマウントをレンズ鏡筒側から見た平面図、図７は、図６において、配線部材であるフレキシブルケーブルを取り外した状態を示す平面図、図８は、図６のＡ−Ａ線で切断した断面図である。
【００３６】
図５に示すように、交換レンズユニット２は、レンズ鏡筒２ａと、このレンズ鏡筒２ａのカメラ本体１側の端面に取り付けられるレンズマウント２１とを備えている。また、レンズ鏡筒２ａのレンズマウント２１が取り付けられる端面には、レンズ群２８、２９、３０を制御するレンズコントローラー２２を含む電子回路装置を搭載した回路基板３１が配置されている。この回路基板３１は、レンズ鏡筒２ａの対応するように、リング形状、またはリング形状の一部が欠けたほぼ半月形状をしている。また、回路基板３１は、回路基板３１とレンズ鏡筒部２ａとの間、及び回路基板３１とレンズマウント２１との間にそれぞれ設けられる緩衝材３２で挟むことにより、レンズ鏡筒２ａの端面に保持されている。緩衝材３２は、ゴムなどの弾性を有する材料により構成されており、この緩衝材３２により回路基板３１を弾性支持することにより、交換レンズユニット２の落下などの場合に、回路基板３１に大きな機械的衝撃が伝わらないように構成している。
【００３７】
レンズマウント２１は、金属製のレンズマウントリング２１ｂと、複数の接続端子２１ａを互いに電気的に絶縁した状態で保持する樹脂製の端子部２１ｃとを備えている。レンズマウント２１の中心部分には、レンズ群を通った光をカメラ本体１に入射するための開口が設けられ、その開口の内壁面には、入射する光が反射しないように黒色の樹脂材料で形成された内縁部２１ｄが設けられている。また、レンズマウント２１のレンズマウントリング２１ｂには、ネジ穴２１ｅが設けられており、レンズマウント２１は、レンズ鏡筒部２ａの端面に設けたネジ受け部３３に、ネジ３４で締め付けることによりレンズ鏡筒２ａに固定されている。
【００３８】
図６、図７、図８に示すように、レンズマウント２１のレンズ鏡筒２ａ側の面には、レンズマウント２１の平面形状に対応するように、半月形状の配線部材であるフレキシブルケーブル３５が配置されている。そのフレキシブルケーブル３５は、ポリイミドフィルムなどの絶縁フィルム３５ａ間に、複数の接続端子２１ａそれぞれが半田付けなどにより接続される端子接続部３５ｂと、この端子接続部３５ｂをコネクタ３６に接続するための配線パターン３５ｃとを、銅などの導電性材料により形成した構成である。ここで、フレキシブルケーブル３５に接続したコネクタ３６は、レンズ鏡筒２ａ側の回路基板３１に実装したコネクタ３７に接続されている。これにより交換レンズユニット２の電子回路装置を搭載した回路基板３１は、フレキシブルケーブル３５、接続端子２１ａ、カメラ本体１のボディマウント４の接続端子４ｃを通して、カメラ本体１のメイン回路基板１１に電気的に接続されることとなる。
【００３９】
また、フレキシブルケーブル３５の外周部において、レンズマウント２１をレンズ鏡筒２ａに固定するためのネジ３４が貫通する部分には、ネジ３４が電気的に接触する導電パッド３５ｄが設けられ、そしてフレキシブルケーブル３５の外周部には、その導電パッド３５ｄを電気的に接続するように延長配線パターン３５ｅが設けられている。フレキシブルケーブル３５の延長配線パターン３５ｅには、グラウンド接続部３５ｆが接続されており、そのグラウンド接続部３５ｆには、コネクタ３６、３７を介して、回路基板３１のグラウンドパターンが電気的に接続されるとともに、複数の接続端子２１ａのうち、グラウンド端子となる接続端子２１ａが電気的に接続される。
【００４０】
すなわち、本発明の交換レンズユニット２においては、電子回路装置を搭載した回路基板３１のグラウンドパターン及び接続端子２１ａのグラウンド端子は、フレキシブルケーブル３５に設けたグラウンド接続部３５ｆ、延長配線パターン３５ｅ、導電パッド３５ｄ、ネジ３４を通して、レンズマウント２１の金属部分に電気的に接地されている。したがって、交換レンズユニット２の電子回路装置におけるグラウンド電位を安定な状態にすることができ、これによりグラウンド電位の不安定さに基づく不要輻射ノイズを低減することができる。
【００４１】
なお、図６〜図８に示す実施の形態においては、フレキシブルケーブル３５に２つのグラウンド接続部３５ｆを設け、延長配線パターン３５ｅによって３つのネジ３４に接続する構成としたが、この構成に限定されない。例えば、図９に示すように、１つのグラウンド接続部３５ｆを設け、そのグラウンド接続部３５ｆに最も近い１つのネジ３４に接続されるように延長配線パターン３５ｅを形成した構成でもよい。
【００４２】
また、図１０に示すように、グラウンド接続部３５ｆに最も近いネジ３４に隣接するように導電接触部３５ｇを設け、その導電接触部３５ｇとグラウンド接続部３５ｆとを延長配線パターン３５ｅにより接続した構成としてもよい。この場合は、レンズマウント２１をネジ３４でレンズ鏡筒２ａに固定することにより、ネジ３４に隣接して設けた導電接触部３５ｇがレンズマウント２１の金属部分に押し付けられ、これによりフレキシブルケーブル３５に設けたグラウンド接続部３５ｆが延長配線パターン３５ｅ、導電接触部３５ｇを通して、レンズマウント２１の金属部分に電気的に接地されることとなる。
【産業上の利用可能性】
【００４３】
以上のように本発明によれば、レンズ交換式のデジタルカメラおよび交換レンズユニットにおいて、不要輻射ノイズの低減を図る上で有用な発明である。
【符号の説明】
【００４４】
１    カメラ本体
２    交換レンズユニット
３    本体筐体
４    ボディマウント
５    カメラモニタ
６    電子ビューファインダー
７    操作部
８    イメージセンサー
９    回路基板
１０    カメラコントローラー
１１    メイン回路基板
１２    シャッターユニット
１５    電源ブロック
４ａ    端子支持部
４ｂ    ボディマウントリング
４ｃ    接続端子
２ａ    レンズ鏡筒
２１    レンズマウント
２１ａ    接続端子
２１ｂ    レンズマウントリング
２１ｃ    端子部
２１ｄ    内縁部
２１ｅ    ネジ穴
２２    レンズコントローラー
２３    絞りユニット
２４    駆動部
２８，２９，３０    レンズ群
３１    回路基板
３２    緩衝材
３３    ネジ受け部
３４    ネジ
３５    フレキシブルケーブル
３５ａ    絶縁フィルム
３５ｂ    端子接続部
３５ｃ    配線パターン
３５ｄ    導電パッド
３５ｅ    延長配線パターン
３５ｆ    グラウンド接続部
３５ｇ    導電接触部
３６，３７    コネクタ
【図１】
2011086916.tif 000003
【図２】
2011086916.tif 000004
【図３】
2011086916.tif 000005
【図４】
2011086916.tif 000006
【図５】
2011086916.tif 000007
【図６】
2011086916.tif 000008
【図７】
2011086916.tif 000009
【図８】
2011086916.tif 000010
【図９】
2011086916.tif 000011
【図１０】
2011086916.tif 000012
【国際調査報告】
2011086916.tif 000013
2011086916.tif 000014
2011086916.tif 000015
2011086916.tif 000016